(57)【特許請求の範囲】
【請求項１】
接続線を接続可能な接続機構部であって、
断面門型形状を有するとともに、相互に対向する上辺部および下辺部と、前記上辺部および前記下辺部に接続された側辺部と、前記上辺部および前記下辺部で挟まれるように前記側辺部に突設された支持部とを有する接続機構部本体と、
一端部が前記支持部に支持されかつ他端部が前記上辺部および前記下辺部のいずれにも圧接可能に構成されていると共に、前記上辺部および前記下辺部の間に挿入された前記接続線を前記上辺部または前記下辺部と共に挟持して接続可能に屈曲したバネ部材と、
を備える、接続機構部。
【請求項２】
前記上辺部および前記下辺部の少なくともいずれか一方に、前記バネ部材の前記他端部を係止可能な係止突起が設けられている、請求項１の接続機構部。
【請求項３】
前記バネ部材の他端部側に接触して前記接続線の接続を解除可能な操作器具を前記バネ部材の前記他端部側にガイドするガイド部をさらに備える、請求項１または２の接続機構部。
【請求項４】
請求項１ないし３のいずれか１項の接続機構部を少なくとも１つ、ハウジング内に組み込んだ、端子台。
【請求項５】
前記ハウジングに、前記バネ部材の他端部側に接触して前記接続線の接続を解除可能な操作器具を前記バネ部材の前記他端部側にガイドするガイド部が設けられている、請求項４の端子台。
【請求項６】
リレーを備える、請求項４または５の端子台。
【発明の詳細な説明】
【技術分野】
【０００１】
接続機構部、例えば、リレー付き端子台に組み込まれる接続機構部に関する。
【背景技術】
【０００２】
従来、端子台に組み込まれる接続機構部としては、例えば、特許文献１で開示しているように、ハウジング内に接続機構部を組み込んだ端子台がある。
すなわち、前記接続機構部は、屈曲したバネ部材の一端部を、その他端部に圧接させることにより、リード線を挟持して電気接続している。そして、前記接続機構部では、ドライバーをハウジング内に挿入して前記一端部を弾性変形させることにより、前記リード線を抜き取ることが開示されている。
【先行技術文献】
【特許文献】
【０００３】
【特許文献１】ドイツ公開公報  ＤＥ １０ ２００５ ０４８ ９７２Ａ１
【発明の概要】
【発明が解決しようとする課題】
【０００４】
しかしながら、前記接続機構部では、ハウジングに対してリード線の挿入位置を変更しようとすると、全く異なる形状を有する内部構成部品を準備する必要がある。このため、内部構成部品の種類が多く、内部構成部品の在庫管理に手間がかかるとともに、メンテナンスが容易でないという問題点がある。
本発明は、前記問題点に鑑み、内部構成部品の在庫管理に手間がかからず、メンテナンスが容易な接続機構部を提供することを課題とする。
【課題を解決するための手段】
【０００５】
本発明に係る接続機構部は、前記課題を解決すべく、接続線を接続可能な接続機構部であって、断面門型形状を有するとともに、相互に対向する上辺部および下辺部と、前記上辺部および前記下辺部に接続された側辺部と、前記上辺部および前記下辺部で挟まれるように前記側辺部に突設された支持部とを有する接続機構部本体と、一端部が前記支持部に支持されかつ他端部が前記上辺部および前記下辺部のいずれにも圧接可能に構成されていると共に、前記上辺部および前記下辺部の間に挿入された前記接続線を前記上辺部または前記下辺部と共に挟持して接続可能に屈曲したバネ部材と、を備える、構成としてある。
【発明の効果】
【０００６】
本発明によれば、前記バネ部材は上下を逆転しても接続機構部本体に組み付け可能である。このため、リード線の挿入位置を上下に変更する場合に、前記バネ部材の上下を逆転させて取り付ければ、バネ部材の他端部が前記接続機構部本体に圧接する位置が上下逆転する。このため、内部構成部品を共用でき、内部構成部品の種類が少なくなるので、在庫管理が容易で、メンテナンスも容易な接続機構部が得られる。
【０００７】
本発明の実施形態としては、前記上辺部および前記下辺部の少なくともいずれか一方に、前記バネ部材の前記他端部を係止可能な係止突起が設けられてもよい。
本実施形態によれば、前記バネ部材の他端部と前記係止突起とでリード線を挟持することにより、前記リード線の脱落を効果的に防止できる。
【０００８】
本発明の他の実施形態としては、前記バネ部材の他端部側に接触して前記接続線の接続を解除可能な操作器具を前記バネ部材の前記他端部側にガイドするガイド部をさらに備えてもよい。
本実施形態によれば、操作器具の位置決めを容易かつ迅速に行えるので、接続作業，メンテナンス作業をより一層効率的に行うことができる。
【０００９】
本発明に係る端子台としては、前述の接続機構部を少なくとも１つ、ハウジング内に組み込んだ構成としてある。
【００１０】
本発明によれば、前記バネ部材は上下を逆転しても接続機構部本体に組み付け可能である。このため、リード線の挿入位置を上下に変更する場合に、前記バネ部材の上下を逆転させて取り付ければ、バネ部材の他端部が前記接続機構部本体に圧接する位置が上下逆転する。このため、内部構成部品を共用でき、内部構成部品の種類が少なくなるので、在庫管理が容易で、メンテナンスも容易な端子台が得られる。
【００１１】
本発明の実施形態としては、前記ハウジングに、前記バネ部材の他端部側に接触して前記接続線の接続を解除可能な操作器具を前記バネ部材の前記他端部側にガイドするガイド部が設けられてもよい。
本実施形態によれば、操作器具の位置決めを容易かつ迅速に行えるので、接続作業，メンテナンス作業をより一層効率的に行うことができる端子台が得られる。
【００１２】
本発明の実施形態としては、リレーを備えたものであってもよい。
本実施形態によれば、内部構成部品の在庫管理が容易で、メンテナンスも容易なリレーを備えた端子台が得られるという効果がある。
【図面の簡単な説明】
【００１３】
【図１】図Ａ，Ｂは本発明に係る接続機構部を適用した端子台の第１実施形態を示す操作前後の斜視図である。
【図２】図１で示した端子台の分解斜視図である。
【図３】図１で示した端子台の異なる角度から視た分解斜視図である。
【図４】図Ａ，Ｂ，Ｃは図２で示したハウジングの平面図、背面図および底面図である。
【図５】図Ａ，Ｂ，Ｃは図２で示した第１接続機構部の斜視図、異なる角度から視た斜視図およびその分解斜視図である。
【図６】図Ａ，Ｂは図２で示した第２接続機構部の斜視図およびその分解斜視図である。
【図７】図Ａ，Ｂは図２で示した補助接続機構部の正面図およびその分解斜視図である。
【図８】図２で示した解除ボタンの縦断面図である。
【図９】図Ａ，Ｂは内部構成部品を組み付けた状態を示す斜視図および異なる角度から視た斜視図である。
【図１０】図Ａ，Ｂは図１で示した端子台を異なる位置で切断した操作前の縦断面図である。
【図１１】図Ａ，Ｂは図１で示した端子台を異なる位置で切断した操作後の縦断面図である。
【図１２】図１で示した端子台の回路図である。
【図１３】図１で示した端子台の別の回路図である。
【図１４】図１で示した端子台の異なる回路図である。
【図１５】図Ａ，Ｂは本発明に係る端子台の第２実施形態を示す操作前後の斜視図である。
【図１６】図１５で示した端子台の分解斜視図である。
【図１７】図１５で示した端子台の異なる角度から視た分解斜視図である。
【図１８】図Ａ，Ｂは図１６で示したハウジングの平面図および底面図である。
【図１９】図Ａ，Ｂは本発明に係る端子台の第３実施形態を示す異なる角度から視た斜視図である。
【図２０】図１９Ａで示した端子台の分解斜視図である。
【図２１】図１９Ｂで示した端子台の分解斜視図である。
【図２２】図Ａ，Ｂは図２０で示したハウジングの平面図および底面斜視図である。
【図２３】図Ａ，Ｂは図１９で示した端子台の操作前後を示す縦断面図である。
【発明を実施するための形態】
【００１４】
本発明に係る接続機構部を適用したリレー付き端子台の実施形態を図１ないし図２３に従って説明する。
第１実施形態に係るリレー付き端子台は、図１ないし図１４に示すように、大略、ハウジング１０と、第１接続機構部３０と、第２接続機構部６０と、第３接続機構部７０と、補助接続機構部８０と、解除ボタン９０と、リレー１００と、温度ヒューズ１０５と、底面カバー１１０と、文字シール１２０とで構成されている。
【００１５】
ハウジング１０は、図２に示すように、その片側半分にリレー１００を収納できるように仕切り壁１１で仕切られた収納凹所１２を形成してあるとともに、その底面に端子孔１２ａを形成してある（図４Ａ）。また、前記ハウジング１０は、その残る片側半分の側面に第１，第２，第３接続孔１３ａ，１３ｂ，１３ｃを設けてあるとともに、その上方に文字シール１２０を貼着するためのテーパ面１３ｄを形成してある。
【００１６】
また、前記ハウジング１０は、図４Ａの平面図に示すように、残る片側半分の略中央に上下に貫通する貫通孔１４を形成してある。そして、前記貫通孔１４の手前側には圧入孔１５を形成するとともに、その両側に第１操作孔１５ａおよび第２，第３操作孔１５ｂ，１５ｃをそれぞれ設けてある。
【００１７】
さらに、前記ハウジング１０は、図４Ｂの背面図に示すように、前記第２，第３接続孔１３ｂ，１３ｃにそれぞれ連通し、かつ、背面側から開口する嵌合孔１６ａ，１６ｂを設けてある。また、前記嵌合孔１６ａに対応する位置に補助嵌合孔１６ｃを設けてある。そして、前記嵌合孔１６ａ，補助嵌合孔１６ｃと隣り合う位置にガイド孔１７ａ，１７ｂをそれぞれ設けてある。
【００１８】
さらに、前記ハウジング１０は、図４Ｃの底面図に示すように、方形台１０ａで囲まれた前記貫通孔１４の片側に、絶縁壁２０ａを介して一対の嵌合孔２１，２２を並設してあるとともに、前記嵌合孔２２と隣り合う位置に収納凹部２３を形成してある。特に、前記嵌合孔２１は、前記第１操作孔１５ａに連通している。また、前記ハウジング１０は、その底面に突設した絶縁壁２０ｂで第１，２，３，４位置決め凹部２４ａ，２４ｂ，２４ｃ，２４ｄを形成してある。そして、前記第１，２，３，４位置決め凹部２４ａ，２４ｂ，２４ｃ，２４ｄには、カシメ突起２５が適宜設けられている。さらに、前記ハウジング１０は、その底面の開口縁部に位置決め突部２６を突設してあるとともに、前記ハウジング１０の隣り合う３辺の開口縁部に係合孔２７をそれぞれ設けてある（図２，３）。
【００１９】
第１接続機構部３０は、図５に示すように、一対の断面門型形状の接続機構部本体４０，５０からなり、前記接続機構部本体５０は、その上辺部５１の先端縁部から断面略Ｌ字形状の延在部５５を延在してある。また、前記第１接続機構部３０は、並設した第１，第２，第３バスバー３１，３２，３３を備えている。
【００２０】
前記接続機構部本体４０は、図５に示すように、対向する上辺部４１および下辺部４２の中間に位置する部分を切り起こして支持部４３を形成してある。前記支持部４３には、屈曲したバネ部材４４の一端部を係合できる係合溝４３ａを形成してある。また、前記接続機構部本体４０の上辺部４１の内向面（上面）には、前記バネ部材４４の他端部を係止できる係止突起４１ａを突き出し加工で設けてある。そして、前記接続機構部本体４０の上辺部４１の角部には切り欠き部４５を形成してある。さらに、前記接続機構部本体４０は、その下辺部４２から端子部４２ａを側方に延在してある。
【００２１】
前記接続機構部本体５０は、対向する上辺部５１および下辺部５２の中間に位置する部分を切り起こして支持部５３を形成してある。前記支持部５３には、バネ部材５４の一端部を係合できる係合溝５３ａを形成してある。また、前記接続機構部本体５０の下辺部５２の内向面（下面）には、前記バネ部材５４の他端部を係止できる係止突起５２ａを突き出し加工で設けてある。さらに、図５Ａに示すように、前記延在部５５は、その上辺部５１と隣り合う位置に、一段低い挟持舌片５６ａを切り起こしてある。このため、前記上辺部５６と前記挟持舌片５６ａとが、略Ｖ字形状に屈曲した補助バネ部材５７の一辺を挟持する。また、前記補助バネ部材５７の下端部は前記上辺部５１に突設した係止突起５１ａに係止している。
【００２２】
第２，第３接続機構部６０，７０は、図２および図３に示すように、同一構成部品で構成されている。より具体的には、図６に示すように、第２接続機構部６０を構成する接続機構部本体６１は対向する上辺部６２および下辺部６３の中間に位置する部分を切り起こすことにより、一対の支持部６４，６５を形成してある。
前記支持部６４には、屈曲したバネ部材６６の一端部を係合できる係合溝６４ａを形成してある。また、前記接続機構部本体６１の上辺部６２の内向面（上面）には、前記バネ部材６６の他端部を係止できる係止突起６２ａを突き出し加工で設けてある。そして、前記接続機構部本体６１の上辺部６２のうち、前記係止突起６２ａ近傍の角部に切り欠き部６２ｃを形成してある。
一方、前記支持部６５には、屈曲したバネ部材６７の一端部を係合できる係合溝６５ａを形成してある。また、前記上辺部６２の内向面（上面）には、前記バネ部材６７の他端部を係止できる係止突起６２ｂを突き出し加工で設けてある一方、前記下辺部６３の一端部を切り曲げることにより、圧入舌片６３ａを形成してある。そして、接続機構部本体６１は、その片側縁部を曲げ起こしてガイド舌片６１ａを形成してある。
【００２３】
なお、第３接続機構部７０は、前記第２接続機構部６０と同一構造を有しているので、同一部分には前記第２接続機構部６０に準じた番号を付して説明を省略する。
【００２４】
補助接続機構部８０は、図７に示すように、断面門型形状の補助接続機構部本体８１からなり、前記補助接続機構部本体８１は、その上辺部８２と隣り合う位置に、より一段低い挟持舌片８２ａを切り起こしてある。そして、前記上辺部８２と挟持舌片８２ａとが、断面略Ｖ字形状に屈曲した補助バネ部材８４の一辺を挟持する。また、前記補助バネ部材８４の下端部は前記下辺部８３に設けた係止突起８３ａに係止している。さらに、前記補助接続機構部本体８１は、その片側縁部を曲げ起こすことにより、ガイド舌片８１ａを設けてある。
【００２５】
解除ボタン９０は、図２，３および図８に示すように、その上端面の中央に、プラスドライバーあるいはマイナスドライバーでの押し下げ操作を容易にする操作凹部９１を形成してある。また、前記解除ボタン９０は、その下面から一対の弾性脚部９２，９２を突出するとともに、前記弾性脚部９２，９２を間にして第１操作片９３および第２，第３操作片９４，９５を突設してある。
【００２６】
リレー１００は、図２，３に示すように、前記ハウジング１０の収納凹所１２に収納可能な立体形状を有し、その下面から信号端子１０１，１０２および電力端子１０３，１０４を突出している。
【００２７】
温度ヒューズ１０５は、図２，３に示すように、そのリード線１０６，１０７を介して前記リレー１００等に電気接続され、端子台での発熱によるトラブルを未然に防止する。
【００２８】
前記底面カバー１１０は、図２，３に示すように、前記ハウジング１０の底面開口部に嵌合可能な平面形状を有し、前記貫通孔１４を囲む方形台１０ａに嵌合可能な方形の貫通孔１１１を設けてある。また、隣り合う３辺の外周縁部に沿ってそれぞれ立設した弾性枠部１１２に、係合爪部１１３をそれぞれ設けてある。
本実施形態によれば、低いに位置に配置した係合爪部１１３であっても、弾性枠部１１２の支点間距離が長く、弾性領域が広いので、破損しにくい係合爪部１１３が得られるという利点がある。
【００２９】
次に、前述の構成部品の組立，接続工程について説明する。
まず、接続機構部本体６１にバネ部材６６，６７の一端部を着脱可能に組み付けた第２接続機構部６０、接続機構部本体７１にバネ部材７６，７７の一端部を着脱可能に組み付けた第３接続機構部７０、および、補助接続機構部本体８１に補助バネ部材８４を組み付けた補助接続機構部８０を準備し、これらをハウジング１０の嵌合孔１６ａ，１６ｂおよび補助嵌合孔１６ｃにそれぞれ圧入する。
そして、前記ハウジング１０の収納凹所１２内にリレー１００を位置決めし、その端子孔１２ａに信号端子１０１，１０２および電力端子１０３，１０４をそれぞれ挿入する。
【００３０】
一方、第１接続機構部３０の接続機構部本体４０，５０にバネ部材４４，５４，補助バネ部材５７の一端部を着脱可能にそれぞれ組み付ける。そして、前記ハウジング１０の底面に設けた嵌合孔２１，２２に前記接続機構部本体４０，５０をそれぞれ嵌合する。また、図４Ｃに示す第１，第２，第３，第４位置決め凹部２４ａ，２４ｂ，２４ｃ，２４ｄに、第１バスバー３１，接続機構部本体４０の端子部４２ａ，第２バスバー３２，第３バスバー３３をそれぞれ位置決めする。
【００３１】
ついで、リレー１００の信号端子１０１，１０２を、図９に示す第１，第３バスバー３１，３３に半田付けするとともに、電力端子１０３，１０４を接続機構部本体４０，５０にそれぞれ半田付けする。そして、第２接続機構部６０と補助接続機構部８０とをリード線（図示せず）で接続する。さらに、温度ヒューズ１０５をハウジング１０の収納凹部２３（図４Ｃ）に収納するとともに、そのリード線１０６，１０７を第２，第３バスバー３２，３３にそれぞれ圧接する。最後に、外部のコネクタに接続するリード線（図示せず）を、第１，第２バスバー３１，３２，端子部４２ａにそれぞれ圧接することにより、図１２に示す回路図のように電気接続された端子台が完成する。
【００３２】
そして、ハウジング１０の開口部に底面カバー１１０を位置決めし、その方形台１０ａに底面カバー１１０の貫通孔１１１を嵌合するとともに、前記ハウジング１０の係合孔２７に前記底面カバー１１０の係合爪部１１３を係合する。さらに、解除ボタン９０の弾性脚部９２，９２をハウジング１０の圧入孔１５に圧入，係合して抜け止めする。このとき、第１，第２，第３操作片９３，９４，９５はバネ部材４４，６６，７６の上端縁部に押し下げ可能に当接する。最後に、テーパ面１３ｄに文字シール１２０を貼着して組立，接続作業が完了する。
【００３３】
本実施形態によれば、第１，第２，第３接続機構部３０，６０，７０および温度ヒューズ１０５を並設してあるので、巾狭の端子台が得られるという利点がある。
また、電気接続は前述の第１実施形態にかぎらず、図１３に示すように、温度ヒューズ１０５のリード線１０６，１０７をリレー１００に接続せず、第２接続機構部６０および補助接続機構部８０に接続してもよい。
さらに、図１４に示すように、前記温度ヒューズ１０５を外部回路（図示せず）に接続してもよい。
これらの回路図に従って配線すれば、用途に応じて電気回路上の温度ヒューズ１０５の配置を選択できるので、選択の範囲が広がるという利点がある。
【００３４】
次に、前記端子台に接続線を接続する方法について説明する。
接続前には、図１０Ａに示すように、バネ部材６６，６７の他端部は接続機構部本体６１の上辺部６２に圧接しているとともに、補助バネ部材８４の他端部は補助接続機構部本体８１の下辺部８３に圧接している。そして、図示しない接続線をそれぞれ圧入し、前記バネ部材６６，６７および補助バネ部材８４の他端部を弾性変形させて挟持することにより、抜け止めする。
同様に、図１０Ｂに示すように、バネ部材４４の他端部は接続機構部本体４０の上辺部４１に圧接している。また、バネ部材５４の他端部は接続機構部本体５０の下辺部５２に圧接しているとともに、補助バネ部材５７の他端部も接続機構部本体５０の上辺部５１に圧接している。そして、図示しない接続線をそれぞれ圧入し、前記バネ部材４４，５４および補助バネ部材５７の他端部を弾性変形させて挟持し、抜け止めする。
【００３５】
そして、前面側から前記接続線を外す場合には、例えば、図１１に示すように、前記解除ボタン９０の操作凹部９１にドライバー１２１の先端を押し付け、バネ部材４４，６６，７６の上端部を、第１，第２，第３操作片９３，９４，９５で同時にそれぞれ押し下げることにより、前記接続線を抜き出す。
本実施形態によれば、ワンタッチ操作で３本の接続線を引き抜けるので、作業性が高く、メンテナンスしやすい端子台が得られる。
また、操作凹部９１はプラスドライバーおよびマイナスドライバーのいずれにも対応できる形状であり、特別な形状の操作器具を必要としないので、使い勝手が良く、より一層作業性の良い端子台が得られる。
【００３６】
一方、背面側から前記接続線を外す場合には、図１１に示すように、ドライバー１２２をハウジング１０に設けた嵌合孔１６ａ，補助嵌合孔１６ｃおよびガイド孔１７ａ，１７ｂにそれぞれ押し込み、補助バネ部材８４，バネ部材６７，補助バネ部材５７，バネ部材５４の他端部を弾性変形させることにより、前記接続線を引き抜く。特に、ガイド舌片８１ａ，６１ａあるいはガイド孔１７ａ，１７ｂでドライバー１２２をガイドできるので、操作しやすく、作業性の高い端子台が得られる。
【００３７】
本実施形態によれば、バネ部材６６，６７，４４，５４の上下を逆転させても、その他端部が接続機構部本体の上辺部および下辺部にそれぞれ圧接するように屈曲した形状となっている。このため、前記バネ部材６６等を上下逆転させて取り付けることにより、同一構成部品で接続線の挿入位置を変更できる。この結果、内部構成部品の種類が少なくなるので、内部構成部品の在庫管理が簡単になり、メンテナンスが容易になるという利点がある。
【００３８】
第２実施形態は、図１５ないし図１８に示すように、前述の第１実施形態とほぼ同様であり、異なる点は第１実施形態のリレーよりも小型のリレー１００に対応するようにした点である。
このため、図１８Ａに示すように、リレー１００を収納する収納凹所１２の内周面には、前記リレー１００を位置決めするための位置決めリブ１１ａ，１１ｂを設けてある。
また、リレー１００の信号端子１０１，１０２は第１，第２バスバー３１，３２にそれぞれ電気接続されているとともに、電力端子１０３，１０４は第１接続機構部３０の接続機構部本体４０，５０の端子部４２ａ，５２ｂ（図１７）にそれぞれ電気接続される。
他は前述の第１実施形態とほぼ同様であるので、同一部分に同一番号を付して説明を省略する。
【００３９】
本実施形態によれば、小型のリレー１００にも適用できることから、設計の自由度が大きい端子台が得られるという利点がある。
【００４０】
第３実施形態に係る端子台は、図１９ないし図２３に示すように、その基本的構成は前述の第１実施形態とほぼ同様であり、異なる点はリレーを外付けとした点である。このため、図２２に示すように、ハウジング１０は小型化されている。
【００４１】
また、第１，第２，第３接続機構部３０，６０，７０は、全て同一の構成部品で構成されている。このため、内部構成部品を共用でき、内部構成部品の種類が更に少なくなるので、内部構成部品の在庫管理がより一層容易となり、メンテナンスしやすい端子台が得られる。
【００４２】
本実施形態によれば、図２３Ａに示すように、第３接続機構部７０の操作前では、バネ部材７６，７７の他端部は接続機構部本体７１の上辺部７２に圧接している。そして、図示しない接続線をハウジング１０内に圧入すると、前記バネ部材７６，７７の他端部が弾性変形して前記接続線を挟持することにより、抜け止めする。
【００４３】
そして、図２３Ｂに示すように、前面側の接続線を抜き取る場合には、解除ボタン９０をプラスドライバー１２１で押し下げることにより、バネ部材７６の上端部を押し下げ、前記接続線を抜き取ることができる。
また、背面側から接続した接続線を抜き取る場合には、図示しないドライバーをガイド舌片７１ａで位置決めして側方から圧入することにより、前記バネ部材７７の他端部を弾性変形させた後、前記接続線を抜き取ることができる。
他は前述の第１実施形態とほぼ同様であるので、同一部分には同一番号を付して説明を省略する。
【００４４】
なお、温度ヒューズの設置位置は前述の実施形態に限らず、必要に応じて変更できることは勿論である。
【産業上の利用可能性】
【００４５】
本発明に係る端子台は前述のリレーに限らず、他のリレーを取り付け、あるいは、接続して使用してもよいことは勿論である。
【符号の説明】
【００４６】
１０  ハウジング
１１  仕切り壁
１２  収納凹所
１３ａ  第１接続孔
１３ｂ  第２接続孔
１３ｃ  第３接続孔
１３ｄ  テーパ面
１４  貫通孔
１５  圧入孔
１５ａ  第１操作孔
１５ｂ  第２操作孔
１５ｃ  第３操作孔
１６ａ  嵌合孔
１６ｂ  嵌合孔
１６ｃ  補助嵌合孔
１６ｄ  嵌合孔
１７ａ  ガイド孔
１７ｂ  ガイド孔
２６  位置決め突部
３０  第１接続機構部
３１  第１バスバー
３２  第２バスバー
３３  第３バスバー
４０  接続機構部本体
４１  上辺部
４２  下辺部
４３  支持部
４４  バネ部材
４５  切り欠き部
５０  接続機構部本体
５１  上辺部
５２  下辺部
５３  支持部
５４  バネ部材
５７  補助バネ部材
６０  第２接続機構部
６１  接続機構部本体
６１ａ  ガイド舌片
６１ｂ  圧入舌片
６２  上辺部
６３  下辺部
６４  支持部
６５  支持部
６６  バネ部材
６７  バネ部材
７０  第３接続機構部
７１  接続機構部本体
７２  上辺部
７３  下辺部
７４  支持部
７５  支持部
７６  バネ部材
７７  バネ部材
８０  補助接続機構部
８１  補助接続機構部本体
８２  上辺部
８３  下辺部
８４  補助バネ部材
９０  解除ボタン
９１  操作凹部
９２  弾性脚部
９３  第１操作片    
９４  第２操作片
９５  第３操作片
１００  リレー
１０５  温度ヒューズ
１１０  底面カバー
１１２  弾性枠部
１１３  係合爪部
１２０  文字シール
１２１  ドライバー
１２２  ドライバー
【図１】
0006350010.tif 000002
【図２】
0006350010.tif 000003
【図３】
0006350010.tif 000004
【図４】
0006350010.tif 000005
【図５】
0006350010.tif 000006
【図６】
0006350010.tif 000007
【図７】
0006350010.tif 000008
【図８】
0006350010.tif 000009
【図９】
0006350010.tif 000010
【図１０】
0006350010.tif 000011
【図１１】
0006350010.tif 000012
【図１２】
0006350010.tif 000013
【図１３】
0006350010.tif 000014
【図１４】
0006350010.tif 000015
【図１５】
0006350010.tif 000016
【図１６】
0006350010.tif 000017
【図１７】
0006350010.tif 000018
【図１８】
0006350010.tif 000019
【図１９】
0006350010.tif 000020
【図２０】
0006350010.tif 000021
【図２１】
0006350010.tif 000022
【図２２】
0006350010.tif 000023
【図２３】
0006350010.tif 000024